(57)【要約】【課題】写真プリントシステムにおいて、他のユーザインターフェースに慣れた操作者にとっても、使い易く、作業性の良い入力操作を可能とする。【解決手段】写真プリントシステムＤＰに画像取込み用通信プログラムと画像出力用通信プログラムと画像処理用プログラムとが組み込まれた他のコンピュータ３１と通信可能に接続し、前記画像取込み用通信プログラムを介して前記画像処理用プログラムから画像データの出力要求を受け取ったときに、前記フィルム読取り装置にて読み取った画像データを前記他のコンピュータ３１へ出力すると共に、前記画像出力用通信プログラムを経て前記画像処理用プログラムから画像データのプリント指令を受け取ったときに、前記他のコンピュータから画像データを受け取って、その画像データに基づいて写真プリントを作製させる。【選択図】図１
2005217578.tif 000002
【特許請求の範囲】
【請求項１】
写真フィルムの画像を読み取るフィルム読取り装置と、そのフィルム読取り装置にて読取られた画像データに対して画像処理する画像処理装置と、その画像処理装置にて処理された画像データに基づいて写真プリントを作製する写真プリント装置と、仕上がり写真プリントの予想画像を表示するモニタと、そのモニタに表示された画像に対して操作者が色補正を指示入力するための入力操作手段とが設けられ、
前記画像処理装置は前記入力操作手段にて指示入力された情報に基づいて画像処理を実行するように構成されている写真プリントシステムであって、
画像取込み用通信プログラムと画像出力用通信プログラムと画像処理用プログラムとが組み込まれた他のコンピュータと通信可能に接続されて、前記画像取込み用通信プログラムを経て前記画像処理用プログラムから画像データの出力要求を受け取ったときに、前記フィルム読取り装置にて読み取った画像データを前記他のコンピュータへ出力するデータ出力制御装置と、
前記他のコンピュータと通信可能に接続されて、前記画像出力用通信プログラムを経て前記画像処理用プログラムから画像データのプリント指令を受け取ったときに、前記他のコンピュータから画像データを受け取って、その画像データに基づいて前記写真プリント装置にて写真プリントを作製させるデータ入力制御装置とが設けられた写真プリントシステム。
【請求項２】
前記データ出力制御装置及び前記データ入力制御装置と前記他のコンピュータとがネットワーク接続されている請求項１記載の写真プリントシステム。
【発明の詳細な説明】
【技術分野】
【０００１】
本発明は、写真フィルムの画像を読み取るフィルム読取り装置と、そのフィルム読取り装置にて読取られた画像データに対して画像処理する画像処理装置と、その画像処理装置にて処理された画像データに基づいて写真プリントを作製する写真プリント装置と、仕上がり写真プリントの予想画像を表示するモニタと、そのモニタに表示された画像に対して操作者が色補正を指示入力するための入力操作手段とが設けられ、前記画像処理装置は前記入力操作手段にて指示入力された情報に基づいて画像処理を実行するように構成されている写真プリントシステムに関する。
【背景技術】
【０００２】
かかる写真プリントシステムは、現像済みの写真フィルムの駒画像をフィルム読み取り装置にて読み取って、適宜に画像処理を施した後に写真プリント装置にて写真プリントとして出力するシステムである。
このような写真プリントシステムでは、フィルム読み取り装置にて読み取った画像データを画像処理装置にて自動解析して自動的に適当な画像処理を施す機能が一般的に備えられているが、下記特許文献１にも記載されているような、熟練した操作者がより高度な画像補正を行うために、モニタに画像を表示して、操作者がそのモニタの画像表示を確認しながら色補正を指示入力する機能も備えられている。
【特許文献１】特開２００２−３５０９８３号公報
【発明の開示】
【発明が解決しようとする課題】
【０００３】
しかしながら、従来の写真プリントシステムにおいて色補正を入力操作するための構成は、その写真プリントシステム独自のユーザインターフェースを提供するものであり、それ自体は効率的な入力操作を実現できるように合理的に構成されているのであるが、例えばユーザインターフェースの異なる他の写真プリントシステムの操作に慣れている操作者やあるいは汎用の画像処理ソフトウェアでの処理操作に慣れている操作者等にとっては、直ちに熟練した操作者と同様の作業効率で作業を開始できるというわけにはいかない。
本発明は、かかる実情に鑑みてなされたものであって、その目的は、他のユーザインターフェースに慣れた操作者にとっても、使い易く、作業性の良い入力操作を可能とする点にある。
【課題を解決するための手段】
【０００４】
本出願の第１の発明は、写真フィルムの画像を読み取るフィルム読取り装置と、そのフィルム読取り装置にて読取られた画像データに対して画像処理する画像処理装置と、その画像処理装置にて処理された画像データに基づいて写真プリントを作製する写真プリント装置と、仕上がり写真プリントの予想画像を表示するモニタと、そのモニタに表示された画像に対して操作者が色補正を指示入力するための入力操作手段とが設けられ、前記画像処理装置は前記入力操作手段にて指示入力された情報に基づいて画像処理を実行するように構成されている写真プリントシステムにおいて、画像取込み用通信プログラムと画像出力用通信プログラムと画像処理用プログラムとが組み込まれた他のコンピュータと通信可能に接続されて、前記画像取込み用通信プログラムを経て前記画像処理用プログラムから画像データの出力要求を受け取ったときに、前記フィルム読取り装置にて読み取った画像データを前記他のコンピュータへ出力するデータ出力制御装置と、前記他のコンピュータと通信可能に接続されて、前記画像出力用通信プログラムを経て前記画像処理用プログラムから画像データのプリント指令を受け取ったときに、前記他のコンピュータから画像データを受け取って、その画像データに基づいて前記写真プリント装置にて写真プリントを作製させるデータ入力制御装置とが設けられている。
【０００５】
すなわち、前記他のコンピュータに操作者が慣れているユーザインターフェースを有する画像処理用プログラムを組み込んでおき、その画像処理用プログラムから前記画像取込み用通信プログラムや前記画像出力用通信プログラムを呼び出すと共に、写真プリントシステム側にそれらの前記画像取込み用通信プログラムや前記画像出力用通信プログラムとの間で写真フィルムの読み取り指令や画像データの授受を行えるように対応しておくことで、操作者は、自分が慣れ親しんだユーザインターフェースをそのまま利用しながら、写真プリントシステムに備えられたフィルム読取り装置から写真フィルムの駒画像の画像データを取込み、その取り込んだ画像データに対して適宜に画像処理を施し、更に、その画像処理後の画像データを写真プリントシステム側へ送り返して、写真プリントを作製させることが可能となる。
【０００６】
又、本出願の第２の発明は、上記第１の発明の構成に加えて、前記データ出力制御装置及び前記データ入力制御装置と前記他のコンピュータとがネットワーク接続されている。
従って、複数の前記他のコンピュータをネットワーク接続して、写真プリントシステムを利用することが可能となる。
【発明の効果】
【０００７】
上記第１の発明によれば、操作者は、慣れ親しんだユーザインターフェースの画像処理用プログラムを組み込んだ前記他のコンピュータを操作して色補正等の画像処理を指示することで、所望の画像処理が施された写真プリントを作製することが可能となる。
もって、他のユーザインターフェースに慣れた操作者にとっても、使い易く、作業性の良い入力操作を可能とできるに至った。
又、上記第２の発明によれば、ネットワークを介して複数の操作者が写真プリントシステムを利用することが可能となり、写真プリントシステムを一層便利なものとすることができる。
【発明を実施するための最良の形態】
【０００８】
以下、本発明の写真プリントシステムの実施の形態を図面に基づいて説明する。
本実施の形態で例示する写真プリントシステムＤＰは、いわゆるデジタルミニラボ機として知られているものであり、図１のブロック図に示すように、現像処理済みの写真フィルムやメモリーカード，ＭＯあるいはＣＤ−Ｒ等から写真プリントを作製するための画像データを取り込んでプリント用の画像データを生成する画像入力装置ＩＲと、画像入力装置ＩＲにて生成したプリント用の画像データを印画紙１に露光処理して写真プリントを作製する写真プリント装置ＥＰとから構成されている。
【０００９】
〔画像入力装置ＩＲの概略構成〕
画像入力装置ＩＲには、図１に概略的に示すように、写真フィルムの駒画像を読み取るフィルム読取り装置２と、フィルム読取り装置２にて読取られた画像データを焼き増しプリント等のために保存しておく画像データ保存装置３と、フィルム読取り装置２あるいは画像データ保存装置３から入力された画像データに基づく仕上がり写真プリントをシミュレート（予想）演算処理するシミュレート演算装置４と、入力された画像データを画像処理して、写真プリント装置ＥＰを露光作動させるためのプリント用の画像データを生成する画像処理装置５と、写真プリント装置ＥＰやフィルム読取り装置２等の動作を管理すると共に操作者に対するユーザインターフェースを備えるプリント制御装置６とが備えられている。
プリント制御装置６は、汎用小型コンピュータにより構成され、メモリカードリーダ，ＭＯドライブ及びＣＤ−Ｒドライブ等からなる外部入出力装置７を備えると共に、モニタ６ａと操作卓６ｂとが接続されている。
モニタ６ａには、各種の設定情報が表示される他、シミュレート演算装置４にて求めた仕上がりプリントの予想画像が表示される。
操作卓６ｂは、各種の動作の指示入力や、露光条件の手動設定等の情報の入力操作をするのに利用され、モニタ６ａに表示された画像に対して操作者が色補正を指示入力するための入力操作手段ＣＩとして機能する。
【００１０】
〔フィルム読取り装置２及び画像データ保存装置３の概略構成〕
フィルム読取り装置２は、写真プリントシステムＤＰの外観斜視図である図２に示すように、プリント制御装置６と同一筐体に設置され、図示を省略するが、赤色，緑色，青色の夫々に対応してＣＣＤラインセンサを有するラインセンサユニットと、ハロゲンランプにて照明される写真フィルムの駒画像を前記ＣＣＤラインセンサの受光面上に結像するレンズと、写真フィルムをそれの長手方向に搬送する搬送機構を内蔵するフィルムキャリア１１とを主要部として構成されている。
写真プリントシステムＤＰの基本動作として、フィルム読取り装置２では、フィルムキャリア１１に写真フィルムをセットした状態で、操作者が操作卓６ｂから写真フィルムの駒画像の読取りを指示入力すると、搬送機構により搬送される写真フィルムの駒画像がラインセンサユニッットにて読取られて、赤色、緑色、青色毎のデジタル画像データとしてプリント制御装置６及び画像データ保存装置３へ出力される。
【００１１】
画像データ保存装置３は、多数のハードディスク装置を備えて、多数本の写真フィルムの駒画像を記憶保存できるように構成されている。
フィルム読取り装置２，画像データ保存装置３及びプリント制御装置６は、図１に示すように、それらの画像データ伝送経路が伝送経路切換え器１２を介して接続されており、この伝送経路切換え器１２は、フィルム読取り装置２にて読取られた写真フィルムの画像データをプリント制御装置６と画像データ保存装置３とに並行して伝送する状態と、焼き増しプリント等のために画像データ保存装置３に保存されている画像データをプリント制御装置６に伝送する状態とに画像データの伝送経路を切換える。
【００１２】
〔写真プリント装置ＥＰの概略構成〕
写真プリント装置ＥＰは、図１及び図２に示すように、筐体内部に、画像入力装置ＩＲから受け取ったプリント用の画像データの画像を印画紙１上に露光形成する露光ユニット２０と、露光ユニット２０を制御する露光制御装置２１と、露光ユニット２０にて露光された印画紙１を現像処理する現像処理装置２２と、筐体上面に配置された印画紙マガジン２３から引き出された印画紙１を多数の搬送ローラ２５等にて現像処理装置２２へ搬送する印画紙搬送系ＰＴとが設けられている。露光ユニット２０には、ＰＬＺＴ微小光シャッタをライン状に配列した露光ヘッド２０ａが備えられており、ＰＬＺＴ光シャッタ方式を採用している。
【００１３】
写真プリント装置ＥＰの筐体外部には、現像処理装置２２にて現像処理及び乾燥処理された印画紙１をオーダ毎に分類するためのソータ２６と、現像処理装置２２の排出口２２ａから排出された印画紙１をソータ２６へ搬送するコンベア２７とが設けられている。
更に、印画紙搬送系ＰＴの搬送経路の途中には、印画紙マガジン２３から引き出された長尺の印画紙１を設定プリントサイズに切断するカッタ２８が備えられている。
写真プリント装置ＥＰの露光制御装置２１，フィルム読取り装置２及びプリント制御装置６はネットワークＮＴにて接続されて、各種の制御情報の授受を行い、更に、フィルム読取り装置２，画像データ保存装置３及びプリント制御装置６相互の間、プリント制御装置６と画像処理装置５との間、並びに、画像処理装置５と露光制御装置２１との間等は、画像データ送受信用の高速データ通信ラインを構成している。
図１及び図２に示すように、フィルム読取り装置２及びプリント制御装置６等を接続するネットワークＮＴには、さらに他のコンピュータ３１が接続されている。
【００１４】
〔写真プリントシステムＤＰの全体動作〕
次に、標準の使用状態における上記構成の写真プリントシステムＤＰの全体動作を、写真フィルムに基づいて写真プリント作製する場合を例にとって概略的に説明する。
操作者がフィルム読取り装置２に写真フィルムをセットして写真プリントの作製を操作卓６ｂから指示入力したときは、フィルム読取り装置２が写真フィルムの駒画像を読取り、読取った画像データがプリント制御装置６に取り込まれる。
シミュレート演算装置４は、プリント制御装置６に取り込まれた画像データに基づいてその画像データが最適にプリントされるようにするための画像補正条件を求めて、その画像補正を適用したときの仕上がり写真プリントの画像をシミュレートしてモニタ６ａに表示する。
操作者は、このモニタ６ａ上のシミュレート画像（仕上がりプリントの予想画像）を観察して、適宜に操作卓６ｂから画像補正指示情報の入力操作を行う。
シミュレート演算装置４は、この操作者が指示入力した画像補正指示情報を反映してモニタ６ａに表示しているシミュレート画像を更新すると共に、この画像補正指示情報を反映した状態で必要な画像補正を画像処理装置５へ伝える。
この後、画像処理装置５にて必要な画像補正がなされた後に、露光制御装置２１に送られてプリント処理される。
露光制御装置２１は、印画紙搬送系ＰＴから得られる印画紙１の搬送情報に基づいて、印画紙１の前端が所定の露光開始位置まで搬送されて来たことを検知すると、露光ユニット２０の露光処理スピードに対応した速度でプリント用の画像データを露光ユニット２０へ順次送信してプリント処理する。
露光ユニット２０は、受け取ったプリント用の画像データに基づいて露光ヘッド２０ａの各光シャッタを作動させて印画紙１にプリント画像の潜像を形成する。
露光ユニット２０にて露光処理された印画紙１は、印画紙搬送系ＰＴにて現像処理装置２２へ搬送されて、各現像処理タンクを順次通過することにより現像され、現像処理された印画紙１は、更に乾燥処理された後に排出口２２ａからコンベア２７上に排出され、ソータ２６にてオーダー毎にまとめられる。
【００１５】
〔他のコンピュータ３１からの制御指令の受け付け〕
写真プリントシステムＤＰは、上記の標準の使用状態の他に、ネットワークＮＴにて接続された他のコンピュータ３１からの操作を受け付ける機能を有しており、コンピュータ３１は、写真プリントシステムＤＰを外部から操作する機能を備えている。
具体的には、コンピュータ３１は、コンピュータ３１からフィルム読取り装置２を操作して写真フィルムの駒画像を読み取らせると共に、その読み取った画像の画像データを受け取り、更に、その受け取った画像に対して画像処理を施した後に写真プリントシステムＤＰ側へ送り返して写真プリントを作製させる機能を有している。
【００１６】
コンピュータ３１には、上記の機能を実現するために、画像取込み用通信プログラムと画像出力用通信プログラムと画像処理用プログラムとが組み込まれている。
前記画像取込み用通信プログラムは、前記画像処理用プログラムから呼び出されて実行を開始し、写真プリントシステムＤＰのプリント制御装置６と通信して、フィルム読取り装置２にて写真フィルムの駒画像を読取らせ、その読取り画像データを受け取って呼び出し元の前記画像処理用プログラムへ渡す処理を行うように構成されており、例えばＴＷＡＩＮ等の標準仕様に適合した画像取込み用ドライバとして構成している。もちろん前記画像処理用プログラム専用の独自仕様のドライバとして構成しても良い。
前記画像出力用通信プログラムは、前記画像処理用プログラムから呼び出されて実行を開始し、写真プリントシステムＤＰのプリント制御装置６と通信して、前記画像処理用プログラムから受け取った画像データを写真プリントシステムＤＰへ送って写真プリントを作製させる処理を行うように構成されており、いわゆるプリンタドライバと同様の構成で実装されている。
【００１７】
プリント制御装置６には、コンピュータ３１に組み込まれた前記画像取込み用通信プログラムや前記画像出力用通信プログラムと通信して所定の処理を実行するプログラムが実装されており、他のコンピュータ３１と通信可能に接続されて、前記画像取込み用通信プログラムを経て前記画像処理用プログラムから画像データの出力要求を受け取ったときに、フィルム読取り装置２にて読み取った画像データをコンピュータ３１へ出力するデータ出力制御装置ＤＯとしての機能と、前記他のコンピュータ３１と通信可能に接続されて、前記画像出力用通信プログラムを経て前記画像処理用プログラムから画像データのプリント指令を受け取ったときに、コンピュータ３１から画像データを受け取って、その画像データに基づいて写真プリント装置ＥＰにて写真プリントを作製させるデータ入力制御装置ＤＩとしての機能を有している。
【００１８】
上記の処理操作を、図３乃至図６のフローチャートに基づいて説明する。
図３の処理は、前記画像取込み用通信プログラムの処理（一部）を示すものであり、図４の処理は、図３の処理に対応してプリント制御装置６にて実行される処理であり、又、図５の処理は、前記画像出力用通信プログラムの処理（一部）を示すものであり、図６の処理は、図５の処理に対応してプリント制御装置６にて実行される処理である。
【００１９】
図３の処理は、前記画像処理用プログラムにおいて例えば「画像の取り込み」のようなメニュー表示をクリックするような形態で呼び出されれて実行を開始する。操作者がこの入力操作を行うときには、フィルム読取り装置２のフィルムキャリア１１へ写真フィルムを装填済みであることが必要である。
図３の処理は、写真フィルムの駒画像を１駒読み出す毎に実行されるように構成されており、前記画像処理用プログラムは写真フィルム１本分の読み出しが完了するまで図３の処理を繰り返し呼び出す。
図３の処理が開始されると、先ず、プリント制御装置６のＩＰアドレスと画像取り込み用の通信ポートを指定して、プリント制御装置６に対して写真フィルムの画像の読取り指示を送出して（ステップ＃１）、プリント制御装置６からステータス信号が送り返されてくるのを待機する（ステップ＃２）。
【００２０】
プリント制御装置６は、図４に示す処理を常時実行しており、通常は、ステップ＃１１においてコンピュータ３１から写真フィルムの画像読取り指示が来るのを待機している。
コンピュータ３１から画像読取り指示を受け取ると（ステップ＃１１）、フィルム読取り装置２に読み取り対象の写真フィルムが装填されていることを確認して（ステップ＃１２）、フィルム読取り装置２に対して装填されている写真フィルムの駒画像の読取りを開始させる（ステップ＃１３）。
フィルム読取り装置２は、プリント制御装置６からの読取り開始指示を受け取ると、フィルムキャリア１１によって写真フィルムの搬送駆動を開始し、写真フィルムの終端を検出して読取りが完了するまで、ラインセンサユニットにて読取った写真フィルムの画像データを順次にプリント制御装置６のバッファメモリへ送り込んで行く。
【００２１】
プリント制御装置６は、フィルム読取り装置２から送られて来た画像データを記憶しているバッファメモリに蓄積される画像データを監視して、１駒分の画像データについてのバッファメモリへの書込みが完了したのを検知すると（ステップ＃１４）、コンピュータ３１に対して受け取るべき画像データが存在することを示すステータス信号を送出すると共に（ステップ＃１５）、その１駒分の画像データの送出が完了するまで順次に画像データを送信する（ステップ＃１６，＃１７）。
コンピュータ３１は、図３のステップ＃２において、プリント制御装置６から前記ステータス信号を受け取ると、そのステータス信号が受け取るべき画像データが存在することを示す信号であれば（ステップ＃３）、プリント制御装置６から送られてくる１駒分の画像データを受け取り（ステップ＃４，＃５）、図３の処理を呼び出した前記画像処理用プログラムへ受け取った画像データへアクセスするための情報を返して（ステップ＃６）、処理を終了する。
【００２２】
コンピュータ３１に組み込まれた前記画像処理用プログラムは、前記画像取込み用通信プログラムから返された画像データへのアクセス情報を保存して、上述のように前記画像取込み用通信プログラム（図３の処理）を繰り返し呼び出す。
プリント制御装置６は、何も指令を受け取らないまま所定時間以上経過してしまわない限り（ステップ＃１９）、図４のステップ＃１８において、コンピュータ３１からの読取り指令（図３のステップ＃１によるもの）を受け取る毎に、前記バッファメモリに新たな１駒分の画像データが蓄積されているのを検知したときに（ステップ＃１４）、上記と同様にして画像データをコンピュータ３１へ送る（ステップ＃１５〜＃１７）。
この際のコンピュータ３１の動作は上述の通りである。
【００２３】
このようにして、写真フィルムの駒画像の読み取りが進行して、プリント制御装置６の前記バッファメモリに新たな画像データが蓄積されず（ステップ＃１４）、写真フィルムの全ての駒画像の読み取りが完了すると（ステップ＃２０）、プリント制御装置６はコンピュータ３１に対して、受け取るべき画像データが存在しないことを示すステータス信号を送出する（ステップ＃２１）。
図３のステップ＃２においてこのステータス信号を受け取ったコンピュータ３１は、図３の処理を呼び出した前記画像処理用プログラムに対して、読み取り対象の画像データが存在しない旨の情報を返す（ステップ＃７）。
この情報を受け取った前記画像処理用プログラムは、図３の処理の呼び出しを終了する。
【００２４】
以上のようにして、写真フィルムの駒画像の画像データが前記画像処理用プログラムへ渡されると、操作者は、コンピュータ３１に接続されたモニタ３２に表示される画像を確認しながら、操作卓３３やマウス３４を利用して、前記画像処理用プログラムにて適宜に画像処理を施して行く。
この画像処理用プログラムとしては、操作者が慣れ親しんだユーザインターフェースのプログラムを使用することができる。
【００２５】
次に、前記画像処理用プログラムにて必要な画像処理が完了し、操作者が、前記画像処理用プログラム上においてプリント出力先に写真プリントシステムＤＰを指定した状態で「印刷」の操作を行うと、前記画像出力用通信プログラム（一部）を示す図５の処理が呼び出される。
本実施の形態では、操作者が１駒ずつプリント指示する場合を例示して説明する。
図５の処理が開始されると、コンピュータ３１は、プリント制御装置６のＩＰアドレスとプリント出力用の通信ポートを指定して、プリント制御装置６に対して写真プリントを作製するための画像データを受け入れることを要求する信号を出力する（ステップ＃３１）。
このとき、プリント制御装置６では、図４処理と並行して図６の処理が実行されており、通常は、上記の画像データの受け入れ要求を待機している（ステップ＃４１）。
プリント制御装置６は、この画像データの受け入れ要求を受け取ると直ちに画像データの受信態勢に入り、図５のステップ＃３１，＃３２によってコンピュータ３１側から順次に送出される画像データを受信し（図６のステップ＃４２）、１駒分の画像データの受け取りが完了すると（ステップ＃４３）、その受け取った画像データによって写真プリントを作製する旨の指示を出力して（ステップ＃４４）、ステップ＃４１へ戻る。ステップ＃４４では、上記指示のみを行い、直ちにステップ＃４１へ戻る。
ステップ＃４４の指示を受け取った他の処理プログラムが、プリント対象の画像データを写真プリント装置ＥＰの露光制御装置２１へ送信し、それに伴って写真プリントの作製が開始される。
【００２６】
〔別実施形態〕
以下、本発明の別実施形態を列記する。
（１）上記実施の形態では、コンピュータ３１は、写真プリントシステムＤＰ側から受け取った画像データに対して前記画像処理用プログラム自体がソフトウェア処理にて必要な画像処理を施す場合を例示しているが、前記画像処理用プログラムはユーザインターフェース並びに前記画像取込み用通信プログラム及び前記画像出力用通信プログラムとの通信機能のみを備え、画像処理のエンジン部分は別途専用のハードウェアを備えるように構成しても良い。
【００２７】
（２）上記実施の形態では、プリント制御装置６にデータ出力制御装置ＤＯの機能とデータ入力制御装置ＤＩの機能とを併せ持たせる場合を例示しているが、フィルム読取り装置２にデータ出力制御装置ＤＯの機能を持たせ、更に、写真プリント装置ＥＰにデータ入力制御装置ＤＩの機能を持たせて、プリント制御装置６を経ずにコンピュータ３１への画像データの取込みとコンピュータ３１からの写真プリントの作製指示とを行えるように構成しても良い。
（３）上記実施の形態では、フィルム読取り装置２の読取り画像データをコンピュータ３１へ送り出す場合において、前記画像処理用プログラムが図３の処理（前記画像取込み用通信プログラム）を繰り返し呼び出して複数駒の画像データを受け取る場合を例示しているが、前記画像取込み用通信プログラム自体に複数駒の画像データを取込む機能を備えさせても良い。
【００２８】
（４）上記実施の形態では、写真プリント装置ＥＰのプリントエンジンとして、ＰＬＺＴ光シャッタ方式の露光装置を例示しているが、レーザビーム露光方式等の他の露光形式を採用しても良いし、更には、インクジェットプリント方式等の露光によらないプリントエンジンを備える構成としても良い。
（５）上記実施の形態では、写真プリントシステムＤＰに対して写真フィルムの駒画像の読み取りやプリント出力の指示を行える他のコンピュータとして１台のコンピュータ３１を接続する場合を例示しているが、ネットワークＮＴにコンピュータ３１と同等の機能を有するコンピュータを更に接続して、複数の操作者が同時に写真プリントシステムＤＰを操作できるように構成しても良い。
【図面の簡単な説明】
【００２９】
【図１】本発明の実施の形態にかかる写真プリントシステムのブロック構成図
【図２】本発明の実施の形態にかかる写真プリントシステムの外観斜視図
【図３】本発明の実施の形態にかかるフローチャート
【図４】本発明の実施の形態にかかるフローチャート
【図５】本発明の実施の形態にかかるフローチャート
【図６】本発明の実施の形態にかかるフローチャート
【符号の説明】
【００３０】
ＣＩ  入力操作手段
ＤＩ  データ入力制御装置
ＤＯ  データ出力制御装置
ＥＰ  写真プリント装置
２    フィルム読取り装置
５    画像処理装置
６ａ  モニタ
【図１】
2005217578.tif 000003
【図２】
2005217578.tif 000004
【図３】
2005217578.tif 000005
【図４】
2005217578.tif 000006
【図５】
2005217578.tif 000007
【図６】
2005217578.tif 000008